(57)【要約】【課題】立体花壇形成用基枠において、立体花壇の面形状を任意に形成可能とするとともに、手間を要せず灌水用配管でき、また、花株の乾燥を抑制して立体花壇を良好な状態で長期間維持可能とする。【解決手段】立体花壇形成用基枠は、所定大きさのリング１０を多数連接して面状に形成した基板１と、リング１０の開口面が形成する曲面と略同形状の面を有し基板１から一定間隔を隔てた位置に配置されるベース面体２と、ベース面体２の表面に配設した保水体３と、これらの基板１、ベース面体２、保水体３、花株４１などの重量を支える土台部５と、保水体３に給水する配管６３やノズル体６などの配管系と、を備えている。リング１０の開口面（嵌挿口１ａ）に花株４１用の鉢４を挿入・保持させたとき、鉢４の底面が保水体３に圧接され、花株４１は、ベース面体２の頂上部に設けられたノズル体６から供給され毛細管現象により保水体３の全面に広がった水を吸収する。【選択図】図１
2006034114.tif 000002
【特許請求の範囲】
【請求項１】
花株用の鉢が挿入され保持される所定形状の嵌挿口を多数連設して面状に形成した基板と、
前記基板の裏面側で該基板から一定間隔を隔てた位置に配置される、該基板と略同形状の面を有するベース面体と、を備え、
前記ベース面体の表面に保水体を配設することにより、前記嵌挿口に花株用の鉢を挿入・保持させたとき、該鉢の底面が前記保水体に接して該保水体に含ませた水が該鉢の花株に供給されることを特徴とする立体花壇形成用基枠。
【請求項２】
前記基板は、所定の大きさのリングを多数連接して形成されていることを特徴とする請求項１に記載の立体花壇形成用基枠。
【発明の詳細な説明】
【技術分野】
【０００１】
本発明は、立体花壇形成用基枠に関する。
【背景技術】
【０００２】
従来、一定の大きさの多数の嵌挿口を備えた基板と、前記基板の嵌挿口に嵌合する専用鉢とを用いて、花株を立体的に面状に敷き詰めたいわゆる立体花壇を作る技術が知られている（例えば、特許文献１参照）。
【特許文献１】実開昭６３−５５８４４号公報
【発明の開示】
【発明が解決しようとする課題】
【０００３】
しかしながら、上述した特許文献１に示されるような立体花壇を作る技術においては、以下のような解決すべき点がある。すなわち、一定の大きさの嵌挿口を有する基板がプラスチック成型により製作されているので、形成できる立体花壇の面形状に制約が大きく、曲面や凹凸面を形成することは難しく、もっぱら単純な面からなる壁面状や柱状の立体花壇に使われてきた。また、花株への灌水手法として、内径1ミリ程度の細管を植木鉢まで個々に直接配管して直接給水する方法をとっているので、配管作業に多大の手間を要していた。さらに、花鉢が嵌挿口に嵌合保持されて空間中に浮いた状態で配置されるので、花株からの乾燥が激しく、植物の維持管理や成育が難しいため、立体花壇における花株を長期間良好な状態で維持して花飾りとして機能させ続けることが困難である。
【０００４】
本発明は、上記課題を解消するものであって、立体花壇の面形状を任意に形成できるとともに、灌水用配管に手間を要せず、また、花株の乾燥を抑制して立体花壇を良好な状態で長期間維持できる立体花壇形成用基枠を提供することを目的とする。
【課題を解決するための手段】
【０００５】
上記課題を達成するために、請求項１の発明は、花株用の鉢が挿入され保持される所定形状の嵌挿口を多数連設して面状に形成した基板と、前記基板の裏面側で該基板から一定間隔を隔てた位置に配置される、該基板と略同形状の面を有するベース面体と、を備え、前記ベース面体の表面に保水体を配設することにより、前記嵌挿口に花株用の鉢を挿入・保持させたとき、該鉢の底面が前記保水体に接して該保水体に含ませた水が該鉢の花株に供給されることを特徴とする立体花壇形成用基枠である。
【０００６】
請求項２の発明は、請求項１に記載の立体花壇形成用基枠において、前記基板は、所定の大きさのリングを多数連接して形成されているものである。
【発明の効果】
【０００７】
請求項１の発明によれば、ベース面体の表面に保水体を配設し、花株用の鉢の底面が保水体に接して保水体に含ませた水が鉢の花株に供給されるようにして鉢を基板の嵌挿口に保持するので、保水体の一部に水を供給することにより保水体を介して保水体における毛細管現象により必要に応じて（乾燥状態に応じて）各鉢に水が供給され、従って、各鉢毎に給水用の配管を行う必要がなく、立体花壇の組立作業に要する作業を簡略化できる。また、鉢が、保水体に常時接した状態で保持されるので、花株の乾燥を抑制できる。
【０００８】
請求項２の発明によれば、リングを多数連接して基板を形成するので、例えば、金属製のリングを用いて、リングとリング、又は、リングと金属製の骨組み部材とを溶接してリングの開口面の組み合わせからなる任意形状の曲面を形成でき、従って、任意形状面を有する立体花壇を形成することができる。また、基板素材としてリングを最小単位構成部材としているので、立体花壇の新規デザインや設計変更に柔軟に対応して立体花壇を形成できる。また、上述の保水体による給水が行われるので、所望される殆ど全てのデザイン形状の立体花壇において灌水構造を十分かつ安価に構成でき、立体花壇の用途を拡大できる。例えば、ビルの壁面等を所望のデザインにより花壇化することができる。
【発明を実施するための最良の形態】
【０００９】
以下、本発明の一実施形態に係る立体花壇形成用基枠について、図面を参照して説明する。図１は、立体花壇形成用基枠（以下、花壇基枠）による立体花壇の断面及び鉢４を保持するための基板１を示し、図２は、花壇基枠の分解状態を示す。図１（ａ）に示す立体花壇は、下部が円柱状で上部が円錐状の略砲弾型の立体表面に花株４１を敷き詰めて形成されている。このような立体花壇を形成する花壇基枠は、所定の大きさのリング１０を多数連接して面状に形成した基板１と、リング１０の開口面が形成する曲面と略同形状の面を有するベース面体２と、ベース面体２の表面に配設した保水体３と、これらの基板１、ベース面体２、保水体３、及び鉢４に収納された花株４１の重量を支える土台部５と、保水体３に給水する配管６３やノズル体６などの配管系と、を備えている。
【００１０】
基板１は、図１（ｃ）、図２（ａ）（ｂ）に示すように、金属（例えば、鉄やステンレス鋼）製の同軸円の骨部材１１に、骨部材１１と同じ金属製のリング１０を溶接部Ｐにより多数連接して形成される。リング１０の開口面は、図１（ｂ）（ｃ）に示すように、花株４１用の鉢４を挿入・保持する嵌挿口１ａとなる。従って、この嵌挿口１ａの集合体が形成する基板１の面形状が立体花壇の表面形状を形作る。
【００１１】
ベース面体２は、図１（ａ）に示すように、基板１の裏面側において、基板１の形成する面から一定間隔を隔てた位置に配置され、基板１と略同形状の面を有する。ベース面体２は、不透水性材料、例えばＦＲＰ（繊維強化プラスチック）による成形品として形成され、保水体３を保持するとともに水路を確保する機能、保水体３を介して伝わる鉢４からの押圧を受ける機能等を有する。
【００１２】
保水体３は、適度の通水性と保水性とを有する、例えば、小片でなる変形自在なスポンジ、ロックウール等の保水体片部材をベース面体２の表面に適宜敷設することにより形成される。この保水体３は、ベース面体２の表面全体に設ける必要はなく、少なくとも鉢４に対応するベース面体２上に設けられればよい。保水体３は、花壇基枠の組立時にベース面体２上に装着してもよいが、組立後において基板１の嵌挿口１ａへの鉢４の装着時にベース面体２と鉢４との間に挟み込むようにすればよい。
【００１３】
土台部５は、平らな地面ＧＮＤに配置された円形状の土台５１、土台５１の外周近傍に配置された複数のローラ５２、及びローラ５２の上に回転自在に配置された受板５３を備えている。受板５３の上には、基板１、ベース面体２、保水体３、及び基板１に保持された花株４１が載せられ、これらは受板５３とともに土台５１に垂直な軸回りに回転可能である。この回転可能性は、立体花壇を構成する各花株４１に対する日射条件を調整するときや、立体花壇の設置された庭園などの模様変え等に有効活用される。
【００１４】
配管系は、土台５１に設けられた配管６１と，ベース面体２の頂上部に設けられたノズル体６と、配管６１とノズル体６とを回転自在に接続するためのコネクタ６２及び配管６３と、を備えている。ノズル体６は、円周方向に均等に水を放出する複数の灌水口を備え、矢印６４で示すように配管６１の外部端から立体花壇の内部中央に供給される水を保水体３に供給する。
【００１５】
ここで、上述の花壇基枠の構成により花株４１の乾燥を抑制でき、立体花壇を良好な状態で長期間維持できることについて説明する。花株４１用の鉢４は、側面と底面に吸水用の開口を有しており、基板１の嵌挿口１ａに挿入され、鉢４の底面が保水体３に接した、又は圧接された状態で嵌挿口１ａに保持される（鉢の構造及び鉢を保持する構造は図７、図８を参照して後述）。保水体３には、ベース面体２の頂上部に設けられたノズル体６からの水が供給される。ノズル体６により供給された水は、保水体３における毛細管現象により、保水体３を構成する各保水体片の全面に一様に広がり、矢印６５で示すように、保水体３に底面を圧接している鉢４の吸水用開口から花株４１に吸収される。
【００１６】
上述のように、保水体３の一部に水を供給して保水体３を介して保水体３における毛細管現象により必要に応じて（乾燥状態に応じて）各鉢４に水を供給できるので、各鉢毎に給水用の配管を行う必要がなくなり、立体花壇の組立作業に要する作業を簡略化できる。また、鉢４が保水体３に接した又は圧接した状態で保持されるので、花株４１の乾燥を抑制できる。
【００１７】
次に、花壇基枠の他の例を図３、図４を参照して説明する。図３は保水体の図示を省略した状態の花壇基枠を示し、図４は、花壇基枠の分解状態からの組立と立体花壇形成までの様子を示す。この花壇基枠のベース面体２は、図３に示すように、周囲の５つの花びら様の飾り部２１により５弁の花を模した外形とされ、図４（ａ）に示すように、その中央花心部に保水体３を配置するための凹部が設けられている。基板１は、中央部の６個の大きなリング１０と、周辺部の５個の小さなリングを、互いに溶接して５角形のドーム状曲面を形成して、ベース面体２の中央凹部上に取付棒１３によって固定されている。
【００１８】
上述の取付棒１３は、基板１の外縁部にある５個の小さなリングの最下端から下方に向けて溶接されている。取付棒１３の下端に設けられたねじ部とこれに螺合するナット１３ａによって基板１本体をベース面体に固定する。このとき、基板１のドーム状曲面とこの曲面に対向するベース面体２の曲面とは、スペーサとしての取付棒１３によって、互いの位置が所定の間隔に保たれる。図４（ｂ）に示すように、基板１の嵌挿口１ａに花株４１を保持した鉢４を挿入固定すると、図４（ｃ）に示すように、前記基板１とベース面体２の所定間隔のもとで、鉢４の下端底部が保水体３に接した又は圧接された状態となる。この状態において、図示しない給水機構により保水体３に適宜の給水を行うと、花株４１は鉢４の底部から水分の補給がなされる。
【００１９】
次に、花壇基枠のさらに他の例を図５、図６を参照して説明する。この花壇基枠は、図５に示すように、複数の骨部材１１とリング１０とからなる基板１がスペーサなしにベース面体２の周辺部においてベース面体２に直接固定されているものである。ベース面体２の基板対向面２ａは、基板１の嵌挿口１ａのなす曲面に略相似の形状の面を持ち、基板１との間に所定間隔が設けられている。
【００２０】
この花壇基枠は、図６（ａ）に示すように、４個の円環状の骨部材１１を同心状に組合せ、図６（ｂ）に示すように、骨部材１１間に橋渡し状態に設けたリング１０を溶接部Ｐで骨部材１１に溶接して、基板１の全体がドーナツ状となるように構成されている。図６（ａ）（ｂ）に示すベース面体２の基板対向面２ａの適宜の位置に、つまり給水の必要な花株の位置に保水体を配置し、各嵌挿口１ａに花株を保持した鉢を装着した立体花壇は、ビルの垂直壁面などに設置することができる。鉢とリング１０との係合機構（後述）と、保水体の保水及び給水機能とにより、花株の乾燥を抑制して立体花壇を良好な状態で長期間維持できる。
【００２１】
次に、図７，図８を参照して上述した各基板１の嵌挿口１ａに挿入保持される鉢４を説明する。鉢４は、図７に示すように、鉢本体である鉢４と、花株４１の根塊部４１ａをくるむ巻回部材４１ｂと、花株４１が鉢４から脱出するのを防止するストッパ４５と、をセットにして用いて、花株４１を保持する。
【００２２】
上述の鉢４は、図７に示すように、上部のフランジ部４０と、フランジ部４０から下方に延設された複数（図の例では１２本）の帯体４２とを備えており、複数の帯体４２は、鉢４の下方において互いに結合されて鉢４の底部を構成している。すなわち、鉢４は、その側面部及び底面部に広い面積の隙間を有する篭状に形成されている。帯体４２は、１つおきに帯体４２の上部に外方に突出する係合部４２ａが設けられている。また、各係合部４２ａに対向する凸部４２ｂがフランジ部４０に設けられている。また、ストッパ４５の係合爪４５ｂを挿入係合する６個の係合孔４２ｃをフランジ部４０に備えている。
【００２３】
また、ストッパ４５は、開放部４５ｄを有するリング４５ａの外周３ヶ所に、鉢４の係合孔４２ｃに係合する３個の係合爪４５ｂと、リング４５ａの内周部に突出した花株押さえ４５ｃとを備えて構成されている。
【００２４】
鉢４の使用法を説明する。花株４１は、図７に示すように、その根塊部４１ａをロックウールやスポンジ等の保水性及び透水性を有する巻回部材４１ｂでくるみ、鉢４に挿入する。その後、ストッパ４５を、花株４１の根塊部４１ａ上部が鉢４に押さえつけられるように、係合爪４５ｂと係合孔４２ｃを用いて鉢４に固定する。この状態で、鉢４を上下左右に任意の方向に回転した姿勢としても、鉢４から花株４１が脱落することがない。花株４１を保持した鉢４は、基板１を形成するリング１０の嵌挿口１ａに挿入される。
【００２５】
上述の、嵌挿口１ａに挿入された鉢４は、上述し、図８（ａ）に再掲した構造により、リング１０に嵌合保持される。すなわち、鉢４をリング１０に挿入する際に、係合部４２ａが鉢の内部に退避し、図８（ｂ）に示すように、最終的に、リング１０が係合部４２ａと凸部４２ｂとに挟まれた状態となる。このようにして、上下左右の任意方向を向いたリング１０の嵌挿口１ａに花株４１を保持した鉢４が装着保持される。
【００２６】
次に、花壇基枠のさらに他の例を図９を参照して説明する。この花壇基枠の基板１は、所定曲面を有する板材に嵌挿口１ａを互いに連接して形成した構造を有する。基板１にリング１０を用いない点が、上述したいずれの花壇基枠とも異なっている。この花壇基枠は、基板１の曲面と略同形状の面を有するベース面体２と、ベース面体２の基板対向面２ａ表面に適宜に配設した保水体３と、を備えた点は上述した花壇基枠と同じである。この花壇基枠によると上述した花壇基枠と同様に灌水用配管に手間を要せず、また、花株の乾燥を抑制して立体花壇を良好な状態で長期間維持可能である。
【００２７】
なお、本発明は、上記構成に限られることなく種々の変形が可能である。例えば、基板１の形成する曲面及び花壇基枠の形状は、上述の砲弾型、５弁花形、ドーナツ型に限られず、球面、円柱面、直方体面、錐台面はもとより、より一般に対称性のない所謂自由曲面を含む立体曲面形状とすることができる。また、花壇基枠の設置位置は、地面、斜面、壁面等に限らず、天井面などを設置位置とすることができる。また、花株は、花が咲く株に限定するものではなく、観葉植物、蔓性植物、リュウノヒゲ、タマリュウなどのグランドカバー類のような植物を含めて総称するものである。また、保水体３は、立体花壇の構造や設置場所の気候環境に即して、保水体材料の透水性や保水性を選択するとともに、その保水体３の使用量を適宜決定することができる。また、保水体３への給水量、給水位置、給水方法なども、立体花壇にあわせて適宜選択することができる。
【図面の簡単な説明】
【００２８】
【図１】（ａ）は本発明の一実施形態に係る立体花壇形成用基枠による立体花壇の断面図、（ｂ）は（ａ）のＡ部詳細断面図、（ｃ）は（ａ）のＢ矢視図。
【図２】（ａ）は同上立体花壇形成用基枠の分解平面図、（ｂ）は同立体花壇形成用基枠の一部破断部を含む分解側面図。
【図３】本発明の一実施形態に係る他の例の立体花壇形成用基枠を保水体なし状態で示す斜視図。
【図４】（ａ）は同上立体花壇形成用基枠の分解状態の一部断面を含む側面図、（ｂ）は組立状態の同立体花壇形成用基枠に花鉢を装着する様子を示す一部断面を含む側面図、（ｃ）は同立体花壇形成用基枠による立体花壇の一部断面を含む側面図。
【図５】本発明の一実施形態に係るさらに他の例の立体花壇形成用基枠に花鉢を装着する様子を示す一部断面を含む側面図。
【図６】（ａ）は同上立体花壇形成用基枠の斜視図、（ｂ）は同立体花壇形成用枠の一部詳細斜視図。
【図７】本発明の立体花壇形成用基枠に花株を装着する様子を説明する花株及び花鉢の斜視図。
【図８】（ａ）は本発明の立体花壇形成用基枠に装着する花鉢の一部詳細側面図、（ｂ）は同花鉢を本発明の基板における嵌挿口に装着した状態の一部詳細側面図。
【図９】本発明の一実施形態に係るさらに他の例の立体花壇形成用基枠を示す部分斜視図。
【符号の説明】
【００２９】
１    基板
２    ベース面体
３    保水体
１０    リング
１ａ    嵌挿口
【図１】
2006034114.tif 000003
【図２】
2006034114.tif 000004
【図３】
2006034114.tif 000005
【図４】
2006034114.tif 000006
【図５】
2006034114.tif 000007
【図６】
2006034114.tif 000008
【図７】
2006034114.tif 000009
【図８】
2006034114.tif 000010
【図９】
2006034114.tif 000011